(57)【特許請求の範囲】
【請求項１】
撮像素子からの映像信号の処理を行う処理手段と、起動時に前記処理手段の動作に必要な複数の内部情報を設定する設定手段と、設定すべき内部情報を記憶するための記憶手段とを備え、該記憶手段は、前記内部情報のうち起動時に必要な装置固有の設定情報を記憶するとともに、各内部情報に対する起動時の設定の要否を示す識別情報を記憶することを特徴とする撮像装置。
【請求項２】
記憶手段に、一定数の識別情報および該識別情報に対応して設定要とされた内部情報である設定情報が、全ての内部情報に対応するように記憶されることを特徴とする請求項１記載の撮像装置。
【請求項３】
記憶手段からの設定情報が正常に設定されたかチェックするチェック手段を備え、正常に設定できないとき、設定手段は、予め保有している初期情報を設定することを特徴とする請求項１または２記載の撮像装置。
【請求項４】
記憶手段に、設定情報が記憶される領域のうち特定の領域にマーカ情報が記憶され、チェック手段は、前記マーカ情報を確認することによって正常に設定されたかを判断することを特徴とする請求項３記載の撮像装置。
【請求項５】
マーカ情報は、先頭領域および終了領域のうち少なくとも一方に付加されることを特徴とする請求項４記載の撮像装置。
【請求項６】
設定情報は、生産時に装置固有のばらつきを抑えるための調整値、あるいは設定手段が予め保有している初期値とは異なる設定値とされたことを特徴とする請求項１〜５のいずれかに記載の撮像装置。
【発明の詳細な説明】
【０００１】
【発明の属する技術分野】
本発明は、ＣＣＤ撮像素子やＣＭＯＳ撮像素子などの固体撮像素子を利用したビデオカメラ、車載カメラ、監視カメラ等の撮像装置に関する。
【０００２】
【従来の技術】
近年、撮像用のデバイスとして、ＣＣＤ撮像素子やＣＭＯＳ撮像素子などの固体撮像素子を利用した撮像装置が商品化されている。これらの撮像装置では、一般に固体撮像素子から出力される映像信号を映像信号処理回路によって外部で利用できるように適切な変換や補正を行い、ディジタルまたはアナログの映像信号として出力を行う。また同時に、映像信号処理回路では、固体撮像素子から入力される信号に基づき、明るさや色を判別し、アイリスやホワイトバランスの制御も行っている。
【０００３】
映像信号処理回路において、これらの変換、補正、制御を行う際、撮像素子やその他の部品のばらつきによって、個体間の信号のばらつきが発生する。そこで、この装置固有のばらつきを抑えるため、また使用者の用途や目的に合うように、生産時に映像信号処理回路の設定値の調整が行われる。この調整結果は、書き換え可能な不揮発性メモリに設定情報として記憶されることが一般的である。
【０００４】
装置の起動時に、不揮発性メモリから生産時に調整され書き込まれた設定情報を読み出し、映像信号処理回路内部に設定を行う。これによって、装置間でのばらつきが少なく、また使用者の用途や目的に合う映像信号が得られる。
【０００５】
次に、一般的な映像信号処理回路の設定情報と不揮発性メモリに記憶するデータの関係について説明を行う。映像信号処理回路の内部設定部分には、それぞれを区別するための番号（アドレス）が割り当てられ、それぞれのアドレスに設定情報として設定値が入力される。設定値を不揮発性メモリに記憶させるときには、設定値に割り当てられたアドレス順、例えば昇順で不揮発性メモリにそれぞれの設定値を書き込んでいく。
【０００６】
そして、起動時などに映像信号処理回路に設定値を設定するとき、不揮発メモリから設定値を読み出し、読み出した値をアドレス順、例えば昇順に映像信号処理回路の内部設定部分に設定を行う。このようにして、調整時の設定の再現を行える。
【０００７】
【発明が解決しようとする課題】
しかし、従来では、たとえ全設定値を記憶する必要がない場合であっても、映像信号処理回路の設定値の個数と同じ、あるいはそれ以上の容量を持つ不揮発性メモリが使用されている。近年、映像信号処理回路の高機能化により、映像信号処理回路の設定値の数は増える傾向にある。このことは、大容量のメモリが必要となり、直接コストの増大につながる。
【０００８】
また、映像信号処理回路の設定値の増加は、起動時などに不揮発性メモリを読み出して設定を行う時間の増加につながり、システムパフォーマンスを落とす原因になる。
【０００９】
さらに、映像信号処理回路の設定値をアドレス順でそのまま不揮発性メモリに書き込むため、他人が不揮発性メモリに書き込まれた値を解析した場合、調整内容や方法などのノウハウを容易に盗まれる可能性がある。
【００１０】
本発明は、上記に鑑み、起動時に使用する不揮発性メモリの容量や起動時間を抑えることができるとともに、設定内容の解析を困難にすることによって、ノウハウを盗まれにくいようにした撮像装置の提供を目的とする。
【００１１】
【課題を解決するための手段】
本発明による課題解決手段は、撮像素子からの映像信号の処理を行う処理手段と、起動時に前記処理手段の動作に必要な複数の内部情報を設定する設定手段と、設定すべき内部情報を記憶するための記憶手段とを備え、該記憶手段は、前記内部情報のうち起動時に必要な装置固有の設定情報を記憶するものである。設定情報は、生産時に装置固有のばらつきを抑えるための調整値、あるいは設定手段が予め保有している初期値とは異なる設定値とされる。
【００１２】
すなわち、内部情報のうち設定情報以外の内部情報は、各装置共通の情報であり、初期値として固定されたものとなる。そのため、記憶手段には記憶しておく必要はない。これによって、記憶手段に記憶すべき情報は少なくなり、容量の少ない記憶手段を用いることが可能となる。しかも、記憶手段から読み出す情報が少なくなるので、読み込みに要する時間や設定する時間も少なくなり、その分起動時間を短縮できる。
【００１３】
そして、記憶手段に、各内部情報に対する起動時の設定の要否を示す識別情報が記憶される。識別情報は、全ての内部情報に１対１で対応する。この識別情報と設定情報とが組み合わせて記憶される。すなわち、一定数の識別情報および識別情報に対応して設定要とされた設定情報が、この順に記憶されていき、全ての内部情報に対応するまで繰り返す。例えば、複数の識別情報を記憶し、次にこれらの識別情報によって設定要とされた設定情報を記憶する。これを繰り返していく。あるいは、先に全ての内部情報に対する識別情報だけを記憶し、次に設定要とされた設定情報を順に記憶する。このように内容の異なる情報を混在して記憶することにより、記憶内容を分かりにくくすることができ、セキュリティが向上する。
【００１４】
また、記憶手段からの設定情報が正常に設定されたかチェックするチェック手段を設けるとよい。正常に設定できないとき、設定手段は、予め保有している初期情報を設定するようにする。これによって、何らかの異常によって正しく設定できない場合でも、動作するのに最低限の機能を確保できる。
【００１５】
チェック手段としては、記憶手段の記憶領域のうち特定の領域にマーカ情報を記憶させて、設定中に読み出したマーカ情報が正しいか否かをチェックする。正しいマーカ情報を確認することによって、正常に設定されたと判断する。マーカ情報を正しく確認できない場合、正常に設定できないと判断する。これによって、設定時の信頼性を高めることができる。
【００１６】
【発明の実施の形態】
本発明の一実施形態のビデオカメラとしての撮像装置を図１に示す。図１において、１は被写体からの像を電気信号に変換する撮像素子である。２は、撮像素子１を駆動するのに必要なタイミング信号を発生させるＴＧ回路である。３は、撮像素子１からの映像信号を相関２重サンプリングし、増幅を行うＣＤＳ／ＡＧＣ回路である。４は、ＣＤＳ／ＡＧＣ回路３から出力されたアナログ信号をディジタル信号に変換するＡ／Ｄ変換回路である。５は、Ａ／Ｄ変換回路４から出力された信号に基づいて輝度信号と色信号を作成する輝度・色信号作成回路である。６は、輝度・色信号作成回路５で作成された輝度信号にガンマ補正を行うガンマ補正回路である。７は、輝度・色信号作成回路５で作成された色信号に対して、ホワイトバランスの調整を行うホワイトバランス調整回路である。８は、ホワイトバランス調整回路７からの色信号に対して、色相の調整を行うマトリクス補正回路である。９は、ガンマ補正回路６からの輝度信号とマトリクス補正回路８からの色信号を合成し、ビデオ信号を作成する輝度・色信号合成回路である。１０は、輝度・色信号合成回路９からのディジタルのビデオ信号をアナログのビデオ信号に変換するＤ／Ａ変換回路である。１１は、ホワイトバランス調整回路７、ＴＧ回路２、ＣＤＳ／ＡＧＣ回路３の制御を行い、アイリスや自動ホワイトバランス制御を行う制御用マイコンである。これらの回路によって、処理手段（映像信号処理回路）が構成される。
【００１７】
１２は、制御用マイコン１１、ホワイトバランス調整回路７、マトリクス補正回路８、輝度・色信号作成回路５、ガンマ補正回路６、輝度・色信号合成回路９が動作するための係数を記憶するレジスタ回路である。１３は、本ビデオカメラが起動する際、制御用マイコン１１、ホワイトバランス調整回路７、マトリクス補正回路８、輝度・色信号作成回路５、ガンマ補正回路６、輝度・色信号合成回路９が初期動作を行うために必要な係数を記憶するための記憶手段としてのＥＥＰＲＯＭである。これらの係数は、ビデオカメラの生産時に調整され、書き込まれる。１４は、起動時、ＥＥＰＲＯＭ１３からデータを読み出し、レジスタ回路１２に設定を行うＥＥＰＲＯＭ読み出し回路である。レジスタ回路１２およびＥＥＰＲＯＭ読み出し回路１４によって、起動時に処理手段の動作に必要な内部情報を設定する設定手段が構成される。
【００１８】
１５は、起動時、ＥＥＰＲＯＭ１３からデータを読み出し、レジスタ回路１２に設定する前に、ＥＥＰＲＯＭ１３の先頭アドレス（先頭領域）に書き込まれた先頭マーカデータと、予め内蔵している先頭マーカデータを比較して一致しているかどうかを判定する先頭マーカ比較回路である。１６は、起動時、ＥＥＰＲＯＭ１３から全データを読み出し、レジスタ回路１２に設定が完了した後、ＥＥＰＲＯＭ１３の最終アドレス（終了領域）に書き込まれた終了マーカデータと、予め内蔵している終了マーカデータを比較して一致しているかどうかを判定する終了マーカ比較回路である。先頭マーカ比較回路１５および終了マーカ比較回路１６によって、上記のマーカ情報（マーカデータ）を確認して、正常に設定されたかをチェックするチェック手段が構成される。
【００１９】
次に、本ビデオカメラの通常動作について説明を行う。図１において、撮像素子１によって被写体の像を変換した電気信号はＣＤＳ／ＡＧＣ回路３によって相関二重サンプリングされるとともに、制御用マイコン１１からの制御でゲインがかけられる。
【００２０】
相関二重サンプリングされた映像信号は、Ａ／Ｄ変換回路４によってディジタル信号に変換され、輝度・色信号作成回路５に入力される。輝度・色信号作成回路５では、隣り合う画素の信号を加算することにより輝度信号を作成し、ガンマ補正回路６に入力する。ガンマ補正回路６では、輝度信号に対して、ブラウン管等の表示装置で表示するのに最適なガンマ補正を行い、輝度・色信号合成回路９へ入力する。
【００２１】
また、輝度・色信号作成回路５では、色フィルタごとに分離された信号から、色差信号（Ｒ−Ｙ信号、Ｂ−Ｙ信号）を計算し、ホワイトバランス調整回路７に入力する。ホワイトバランス調整回路７では、制御用マイコン１１より赤色と青色のバランスを計測し、ホワイトバランスがとれるようにゲイン調整を行う。ホワイトバランス調整回路８で調整された信号は、マトリクス補正回路８に入力され、色相の調整を行う。
【００２２】
ガンマ補正回路６から出力された輝度信号とマトリクス補正回路８で補正された色信号は、輝度・色信号合成回路９で合成され、さらに同期信号等を加えてディジタルのビデオ信号が作成される。輝度・色信号合成回路９で合成されたディジタルのビデオ信号は、Ｄ／Ａ変換回路１０でアナログのビデオ信号に変換され、外部に出力される。
【００２３】
また、制御用マイコン１１では、常に信号の輝度レベルと色のバランスを計測して、撮像素子１の電子シャッタやＣＤＳ／ＡＧＣ回路３のゲインを調整している。映像が一定の明るさになるように調整を行って、色が最適になるようホワイトバランスの制御を行っている。
【００２４】
ここで、本ビデオカメラにおける起動時の動作について詳細な説明を行う。まず、図２に、レジスタ回路１２で定められているレジスタ番号、機能、レジスタ回路１２が予め保有している初期値、および実際に設定を行いたい設定値を示す。
【００２５】
図２に示すように、レジスタ回路１２は、レジスタ番号００〜３１の合計３２個のレジスタを持っている。各レジスタのビット長は８ビットであり、０〜２５５までの値を設定することが可能である。
【００２６】
各レジスタには、それぞれ映像信号処理回路における各回路の機能が割り振られており、ホワイトバランス調整回路７で使用するもの（レジスタ番号００、０１）、マトリクス補正回路８で使用するもの（レジスタ番号０２〜０５）、輝度・色信号作成回路５で使用するもの（レジスタ番号０６〜０８）、ガンマ補正回路６で使用するもの（レジスタ番号０９、１０）、輝度・色信号合成回路９で使用するもの（レジスタ番号１１、１２）、制御用マイコン１１がアイリス制御やホワイトバランス制御のために使用するもの（レジスタ番号１３〜１６）、制御用マイコン１１がワークエリアとして使用するもの（レジスタ番号１７〜３１）となっている。
【００２７】
また、各レジスタは、予め回路内に初期値を持っている。これらの初期値を設定することによって、ＥＥＰＲＯＭ１３から設定値を読み込まなくても、ある程度の動作を行えるようになっている。
【００２８】
ここで、レジスタ回路１２が持っているレジスタのうち、どのレジスタ番号の情報をＥＥＰＲＯＭ１３に記憶しておくか、しないかの判定は、ビデオカメラが起動時にそのレジスタの設定値を必要とするか、しないかによって決定される。すなわち、ＥＥＰＲＯＭ１３に記憶しておくべき設定情報である設定値は、生産時に装置固有のばらつきを抑えるために調整された値、あるいは装置の動作中に変化することがない設定値、すなわち生産時に装置間で差がなく、動作中も変化しない設定値のうち、初期値とは異なる設定値である。これらの設定値は初期値と異なるので、起動時に設定が必要となり、ＥＥＰＲＯＭ１３に書き込む。
【００２９】
また、レジスタ回路１２が予め内部に持っている初期値を変更する必要がない場合、そのレジスタについては設定を行う必要はない。例えば、図２において、レジスタ番号００、０１のＲゲイン、Ｂゲインについては、制御用マイコン１１がホワイトバランス制御を行う上で常に変化させる必要があるレジスタ値である。このレジスタ値は、被写体として何が撮像されているかによって変化するため、設定を行う必要はなく、設定値をＥＥＰＲＯＭ１３に記憶する必要はない。レジスタ番号１７〜３１については、制御マイコン１１が各種処理を行う際のワークエリアとして使用するため、これらの設定値もＥＥＰＲＯＭ１３に記憶する必要はない。
【００３０】
上記のように記憶すべきレジストの設定値が決定されると、各レジスタについて設定が必要であるか判断しながら、ＥＥＰＲＯＭ１３に設定値を書き込む。図２に示したレジスタ番号のうち、０２、０３、０５、０６、０９、１０、１５、１６のデータがＥＥＰＲＯＭ１３に書き込まれる。なお、書き込む時期は、生産時であるが、出荷前に行えばよい。
【００３１】
ＥＥＰＲＯＭ１３に書き込むデータの作成例を図３に示す。ＥＥＰＲＯＭ１３のアドレス００〜０１には、先頭マーカデータが書き込まれる。先頭マーカデータは、ＦＦｈ、ＡＡｈ（１６進表記）である。アドレス０２には、レジスタ番号００〜０７に対応する設定フラグが書き込まれる。ここでは、レジスタ番号０２、０３、０５、０６の設定値を書き込むため、設定フラグの値は６Ｃｈ（１６進表記）となる。アドレス０３〜０６は、レジスタ番号０２、０３、０５，０６の設定値が順に書き込まれる。アドレス０７には、レジスタ番号０８〜１５に対応する設定フラグが書き込まれる。ここでは、レジスタ番号０９、１０、１５の設定値を書き込むため、設定フラグの値は８６ｈ（１６進表記）となる。アドレス０８〜１０には、レジスタ番号０９、１０、１５の設定値が順に書き込まれる。アドレス１１には、レジスタ番号１６〜２３に対応する設定フラグが書き込まれる。ここでは、レジスタ番号１６の設定値を書き込むため、設定フラグの値は、０１ｈ（１６進表記）となる。アドレス１２には、レジスタ番号１６の設定データが書き込まれる。アドレス１３には、レジスタ番号２４〜３１に対応する設定フラグが書き込まれる。ここでは、書き込むべきレジスタは存在しないため、設定フラグの値は００ｈ（１６進表記）である。アドレス１４、１５には、終了マーカデータが書き込まれる。終了マーカデータは、ＦＦｈ、５５ｈ（１６進表記）である。
【００３２】
ここで、設定フラグは、レジスタに設定値を設定するか、しないかの要否を示す識別情報とされる。そして、一定数の識別情報、ここでは８個の設定フラグを１つのアドレスに書き込み、これに続いて設定すべき設定値を順に次のアドレスから書き込む。これを全てのレジスタに対応するまで繰り返して、各アドレスに書き込んでいくことにより、レジスタ回路１２内の設定が必要なレジスタに対する設定値は全て記憶されることになる。
【００３３】
ビデオカメラの起動時の設定手順を図４に基づいて説明する。ビデオカメラに電源が投入（Ｓ１）されると、初めにＥＥＰＲＯＭ読み出し回路１４は、ＥＥＰＲＯＭ１３の先頭アドレスに書き込まれている先頭マーカデータを読み出す（Ｓ２）。先頭マーカデータは２バイトで構成されている。
【００３４】
先頭マーカ比較回路１５において、読み出された先頭マーカデータと先頭マーカ比較回路１５内に予め既定されている先頭マーカデータとの比較を行う（Ｓ３）。ここで、ＥＥＰＲＯＭ１３より読み出した先頭マーカデータと先頭マーカ比較回路１５内に既定されている先頭マーカデータとが一致した場合は、次の処理へ進む。
【００３５】
一致しなかった場合は、読み込み誤りと判定し、先頭マーカデータの再読み込みを行う。再読み込み回数はカウントされ（Ｓ１０）、再読み込み回数が所定回数、例えば５回を超えると、ＥＥＰＲＯＭ１３に何らかの不具合があるものと判定される。レジスタ回路１２が予め持っている初期値を各レジスタに設定（Ｓ１４）した後、制御用マイコン１１が起動し（Ｓ１５）、通常処理を行う。
【００３６】
以上のような処理を行うことにより、ＥＥＰＲＯＭ１３のデータが何らかの原因で正常に読み出されない場合においても、レジスタ回路１３が予め持っている初期値で各回路の設定を行い、起動することができる。そのため、ビデオカメラの動作に必要な最低限の機能を確保することができ、ビデオカメラの使用が可能となる。
【００３７】
先頭マーカデータが一致した場合は、次に全レジスタの設定が完了したかの判定を行う（Ｓ４）。全レジスタの設定が完了していない場合、ＥＥＰＲＯＭ１３より設定フラグを読み出す（Ｓ５）。設定フラグは８ビットで構成されており、８個のレジスタについて設定が必要であるか、ないかの指定を行っている。
【００３８】
ここで、設定フラグのビットが１のとき、対応するレジスタの設定が必要、０のとき、設定は不要と規定される。また、設定フラグのＬＳＢ（最下位ビット）からＭＳＢ（最上位ビット）に向かってレジスタ番号を昇順に割り振っている。例えば、レジスタ番号０〜７の設定フラグを例にすると、これらのレジスタのうち、レジスタ番号２、３、５、６のレジスタを設定する必要がある場合、設定フラグは６Ｃｈ（１６進表記）となる。
【００３９】
設定フラグ読み込み後は、設定フラグのビットを順に確認し（Ｓ６）、設定が必要であるレジスタの場合は、ＥＥＰＲＯＭ１３より設定値を読み出し（Ｓ７）、レジスタ回路１２の該当するレジスタに設定値の設定を行う（Ｓ８）。設定フラグの全ビットの確認が終了するまで以上の動作を繰り返す（Ｓ９）。また、レジスタ設定の必要がない場合も同様に、設定フラグの全ビットの確認が終了するまで以上の動作を繰り返す。なお、設定が不要とされたレジスタについては、初期値がそのまま設定される。
【００４０】
１つの設定フラグの全ビットの確認が終了すると、ＥＥＰＲＯＭ１３より次の設定フラグを読み出し、以上の動作を全レジスタの設定が完了するまで繰り返す。全レジスタの設定が完了が確認される（Ｓ４）と、次にＥＥＰＲＯＭ１３のデータの最終アドレスに書き込まれている終了マーカデータを読み込む（Ｓ１１）。終了マーカデータは２バイトで構成されている。終了マーカ比較回路１６において、読み出された終了マーカデータと、終了マーカ比較回路１６内で既定されている終了マーカデータとの比較を行う（Ｓ１２）。
【００４１】
ＥＥＰＲＯＭ１３から読み出した終了マーカデータと終了マーカ比較回路１６内で既定されている終了マーカデータとが一致した場合、レジスタ回路１２の設定は正常に終了したと判定される。そして、制御マイコン１１を起動し（Ｓ１５）、通常処理を行う。
【００４２】
終了マーカデータが一致しなかった場合は、ＥＥＰＲＯＭ１３の読み込みにおいて誤りがあったと判定される。そこで、先頭マーカデータの読み出しから再読み込みを行う（Ｓ２）。再読み込みの回数はカウントされ（Ｓ１３）、所定回数、例えば５回を超えると、ＥＥＰＲＯＭ１３に何らかの不具合があると判定される。この場合、レジスタ回路１２が予め持っている初期値を設定し（Ｓ１４）、制御用マイコン１１が起動し（Ｓ１５）、通常処理を行う。
【００４３】
以上のような処理を行うことにより、何らかの原因でＥＥＰＲＯＭ１３の読み込み途中、読み込み誤りの発生や、再読み込みを行っても正常な読み込みが行えない場合において、レジスタ回路１２が予め持っている初期値をレジスタに設定することによって、ビデオカメラの動作に必要な最低限の機能を確保することができる。
【００４４】
また、上記のような起動プロセスをとる場合、設定フラグの読み誤りが発生すると、それ以降のレジスタの設定がすべて影響を受ける。そのため、終了マーカデータによってＥＥＰＲＯＭ１３の読み込みが正常に終了したか確認することは重要であり、マーカ情報を用いて正常に設定されたかをチェックすることにより、動作の信頼性を高めることができる。
【００４５】
ところで、全レジスタ数が３２個ある場合、従来ＥＥＰＲＯＭ１３に必要な容量は３２バイトになる。しかし、上記のようにＥＥＰＲＯＭ１３に各レジスタに対する設定フラグおよび必要な設定値を記憶させることにより、先頭マーカデータ、終了マーカデータを含めても１６バイトで済む。したがって、ＥＥＰＲＯＭ１３の容量を１／２にすることが可能となり、メモリの低コスト化を図れる。さらに、ＥＥＰＲＯＭ１３の読み出しや設定時間も１／２に短縮でき、ビデオカメラの起動時間を早くすることが可能となる。
【００４６】
また、他人にＥＥＰＲＯＭ１３のデータを解析された場合、設定フラグと設定値が不規則に混在しているため、ビデオカメラの起動プロセスを知らない限り、データの解析は困難となる。したがって、設定内容の漏洩やビデオカメラ調整等のノウハウの流出の防止を図ることができる。
【００４７】
しかも、ＥＥＰＲＯＭ１３のデータには、設定フラグと設定値が混在しているため、ＥＥＰＲＯＭ読み込み回路１４内で必要な一時保存用バッファメモリも設定フラグを記憶する１バイト程度でよく、小規模な回路およびプログラムで構成することが可能になる。
【００４８】
なお、本発明は、上記実施形態に限定されるものではなく、本発明の範囲内で上記実施形態に多くの修正および変更を加え得ることは勿論である。マーカ情報は、２個に限らず、複数あるいは1個でもよい。
【００４９】
設定値を記憶する記憶手段として、メモリカード、磁気ディスク、光ディスク等の着脱可能な記憶媒体を用いてもよく、個人毎に記憶媒体を持ち、撮像装置の使用時に装着する。撮像装置を共有する場合、各個人に応じた設定を行える。
【００５０】
【発明の効果】
以上の説明から明らかな通り、本発明によると、起動時に映像信号処理回路に対する設定を行うとき、メモリから呼び出す設定情報が少ないので、すばやく設定でき、起動時間を短縮することができる。また、メモリに設定情報以外に別の情報も記憶しているので、メモリの内容から設定情報を解析することが困難となり、セキュリティの向上を図れる。
【図面の簡単な説明】
【図１】    本発明の一実施形態のビデオカメラの構成図
【図２】    レジスタの設定内容を示す図
【図３】    ＥＥＰＲＯＭに記憶されるデータを示す図
【図４】    起動時の設定処理のフローチャート
【符号の説明】
１  撮像素子
５  輝度・色信号作成回路
６  ガンマ補正回路
７  ホワイトバランス調整回路
８  マトリクス補正回路
９  輝度・色信号合成回路
１１  制御用マイコン
１２  レジスタ回路
１３  ＥＥＰＲＯＭ
１４  ＥＥＰＲＯＭ読み出し回路
１５  先頭マーカ比較回路
１６  終了マーカ比較回路
【図１】
0004060124.tif 000002
【図２】
0004060124.tif 000003
【図３】
0004060124.tif 000004
【図４】
0004060124.tif 000005